(57)【特許請求の範囲】
【請求項１】
穀粒タンク（１）内に貯留した穀粒を取出す排出オ−ガ（２）の先端部に排出口（２ａ）を設け、送風ファン（４）の吐風口（４ａ）を下向きに隣設させてグレンバッグ（３）に収納するものにおいて、該排出口（２ａ）の前面とファンケース（１０）の後面との間に排出オーガ（２）の軸（１１）と送風ファン（４）の軸（１２）を延出し、大径ギヤ（１３）と小径ギヤ（１４）を軸着して送風ファン（４）を増速するギヤケース（９）を前記排出口（２ａ）と吐風口（４ａ）との間に設けたことを特徴とするコンバインの穀粒排出オ−ガ。
【発明の詳細な説明】
【０００１】
【産業上の利用分野】
本発明は、脱穀部からの穀粒を穀粒タンクに一旦貯留したのち排出オ−ガにより取出すところのコンバインにおける穀粒排出オ−ガに関するものである。
【０００２】
【従来の技術】
従来、穀粒タンクに貯留された穀粒を排出オ−ガによって取出すとき、その取出される穀粒をグレンバッグに収納する場合には、グレンバッグを別途作製した支持枠により拡張状態にして吊持するか、あるいは数人により拡張状態に保持して排出オ−ガ先端の排出口から排出される穀粒を収納していたのである。このような問題を解消する従来技術として穀粒の吐出口に貯留袋の入口を接続し、専用のブロワを設けて該貯留袋に送風するものと、排出オーガの先端に軸着した回転羽根とを前記ブロワと兼用にしたものが実開平０２−０２２７９４号公報に記載されている。また、ホルダーによって吊持された穀粒袋の袋口部の上側より、送風機の噴風口を臨ませて該袋口部を開口させ、開放状態を保持する開口体を連動して介在させる構成にしたものが特開昭５１−０１２２９８号公報に開示されている。
【０００３】
【発明が解決しようとする課題】
このように、従来グレンバッグに収納する場合は、このグレンバッグを拡張状態に吊持するための支持枠が必要となり、また、支持枠を別途に作製しないときには数人の人手を要するのであって、コスト高になるか又は多くの人手を要していたから、本発明はこの従来の課題を解決して排出オ−ガによって取出される穀粒のグレンバッグへの収納作業を容易にし満杯の状態に収納することのできるものを提供せんとして創案されたものである。
【０００４】
【課題を解決するための手段】
そこで、この発明は前項に記載するような穀粒排出オ−ガを提供するために、穀粒タンク内に貯留した穀粒を排出オ−ガにより取出してグレンバッグに収納するものにおいて、排出オ−ガの先端部にグレンバッグ膨張用の送風ファンを取付け、排出口の前面とファンケースの後面との間に排出オーガの軸と送風ファンの軸を延出し、大径ギヤと小径ギヤを軸着して送風ファンを増速するギヤケースを前記排出口と吐風口との間に設けた構成にしたのである。
【０００５】
【作用】
これによって、排出オ−ガの先端部からグレンバッグに穀粒を収納するとき、排出オ−ガに取付けた送風ファンによって起風し吹出する風力によりしぼんだ状態で吊り下げられたグレンバッグは膨張し、この膨張した状態が維持されて排出オ−ガから順次穀粒が落下し収納されて満杯になるのである。
【０００６】
【実施例】
以下、この発明による穀粒の排出オ−ガについて実施例図を参照し説明すると、この例図に示すコンバインは「図２」のように、走行機台（５）上の左側に脱穀部（Ａ）を、右側には運転席（６）とエンジン（Ｅ）と穀粒タンク（１）が配設され、脱穀部（Ａ）の前方には刈取部（Ｂ）を後側に藁カッタ−（Ｃ）が設けられて、刈取部（Ｂ）で刈取られた穀稈を脱穀部（Ａ）に搬送供給して脱穀処理し、この脱穀処理された１番穀粒は揚穀筒（７）により揚上されて一旦穀粒タンク（１）内に貯留され、脱穀済の排藁は後方に搬出されて藁カッタ−（Ｃ）により細断される。そして、穀粒タンク（１）に貯留されたものは穀粒タンク（１）の後側に立設の揚上筒（８）により揚上されたのち排出オ−ガ（２）に受継がれ、その先端部から随時取出されるようになっている。
【０００７】
次に、この発明による排出オ−ガについて、「図１」により記載する。この排出オ−ガ（２）は長尺の円筒体（２ｂ）と、その円筒体（２ｂ）内にスクリュ−コンベヤ（２ｃ）が内装され先端部には下向きの排出口（２ａ）を開口しているのであって、排出オ−ガ（２）の先端部にグレンバッグ（３）膨張用の送風ファン（４）が取付けられている。
【０００８】
即ち、排出オ−ガ（２）の先端部には増速用のギヤケ−ス（９）が一体的に取付けられ、そのギヤケ−ス（９）にファンケ−ス（１０）が連設固定されている。そして、ギヤケ−ス（９）内には前記スクリュ−コンベヤ（２ｃ）の軸（１１）と送風ファン（４）の軸（１２）がそれぞれ延出されて各軸（１１）（１２）の延出部には大径ギヤ（１３）と小径ギヤ（１４）が軸着されて噛み合わされ排出オ−ガ（２）がわから送風ファン（４）を増速し駆動している。
【０００９】
（４ａ）は送風ファン（４）による起風の吐風口で、下向きに開口し前記のギヤケ−ス（９）を挟んで排出オ−ガ（２）の排出口（２ａ）に隣設させてある。また、（１５）はファンケ−ス（１０）に開口した吸気口で、該吸気口（１５）には防塵網（１６）が張設されている。
【００１０】
これにより、一旦穀粒タンク（１）内に貯留した穀粒を取出して乾燥調整センタ−に搬入する場合に、グレンバッグ（３）に穀粒を収納しトラックに載せて運ぶのであるが、そのとき、「図３」で示すように、排出オ−ガ（２）の先端部をトラックの荷台の上方位置に移動させてグレンバッグ（３）の袋の口を排出口（２ａ）と吐風口（４ａ）の周りを取り囲むように掛けて吊り下げ排出口（２ａ）からの穀粒をグレンバッグ（３）に収納するのである。
【００１１】
この収納時に、排出オ−ガ（２）がわから駆動され増速して回転する送風ファン（４）によって起風し吐風口（４ａ）から吹出する風力により実線のようにしぼんだ状態のグレンバッグ（３）は仮想線のように膨張しその膨張した状態を維持しながら排出口（４ａ）から穀粒が順次グレンバッグ（３）内に落下し収納されていくのである。
【００１２】
したがって、本発明は排出オ−ガ（２）の先端部にグレンバッグ（３）膨張用の送風ファン（４）を取付けたことを特徴とするものであるが、送風ファン（４）の吐風口（４ａ）を下向きに開口して排出オ−ガ（２）の排出口（２ａ）に隣設させることによって、排出オ−ガ（２）からの穀粒のグレンバッグ（３）内への落下とグレンバッグ（３）膨張用の送風ファン（４）の吹出風の協同作用が合理的になりグレンバッグ（３）への収納がより良くなる。
【００１３】
また、送風ファン（４）を排出オ−ガ（２）のスクリュ−コンベヤ（２ｃ）の軸（１１）により駆動する構成にすると、送風ファン（４）への駆動が簡素化されるとともに、ファンケ−ス（１０）の吸気口（１５）にシャッタ−（１７）を設けて運転席（６）から開閉可能にし、その開閉操作により排出オ−ガ（２）と送風ファン（４）の駆動と停止を連動させるようにすると一層利便であり且つ安全なものになる。
【００１４】
【発明の効果】
本発明は以上述べたように、排出オ−ガ（２）の先端部に排出口（２ａ）を設け、送風ファン（４）の吐風口（４ａ）を下向きに隣設させてグレンバッグ（３）に収納するものにおいて、該排出口（２ａ）の前面とファンケース（１０）の後面との間に排出オーガ（２）の軸（１１）と送風ファン（４）の軸（１２）を延出し、大径ギヤ（１３）と小径ギヤ（１４）を軸着して送風ファン（４）を増速するギヤケース（９）を前記排出口（２ａ）と吐風口（４ａ）との間に設けたことを特徴とするものであるから、排出オーガ２）よりも増速した前記送風ファン（４）は小型化され、前記排出口（２ａ）と吐風口（４ａ）との間にギヤケース（９）を設けた駆動構造にしたので、該排出口（２ａ）と吐風口（４ａ）が隣設する構成が維持され、これをグレンバッグ（３）の袋口部が取り囲む嵌入状態を容易に形成でき、該袋口部に排出オーガ（２）の先端部を嵌脱させるオーガ操作も簡単に行えるようになった。また、しぼんだ状態のグレンバッグ（３）が膨張して順次穀粒が落下し収納されて満杯になるので、従来のように、グレンバッグ（３）を別途作製した支持枠を使用したり、あるいは人手を要することもなく、穀粒の収納作業が容易になって簡単に満杯に収納できるのである。
【図面の簡単な説明】
【図１】  排出オ−ガ先端部の縦断側面図である。
【図２】  コンバイン全体の概略側面図である。
【図３】  グレンバッグへの穀粒収納時の作用説明図である。
【符号の説明】
１  穀粒タンク
２  排出オ−ガ
３  グレンバッグ
４  送風ファン
２ａ  排出口
４ａ  吐風口
２ｃ  スクリュ−コンベヤ
１１  軸
【図１】
0003705628.tif 000002
【図２】
0003705628.tif 000003
【図３】
0003705628.tif 000004